(57)【要約】 【課題】 異なるインセット値及び累進帯長を有する累進多焦点レンズに共通に用いることを可能にする。 【解決手段】  近用部測定領域マーク９は、近用度数測定領域を示すための円形の一部を組み合わせた近用度数測定領域曲線９２（９２ａ，９２ｂ）を有し、この近用度数測定領域曲線９２は、インセット量の変化に応じて水平方向に変化する近用度数測定場所の変化範囲を含む領域及び累進帯長の変化に応じて垂直方向に変化する近用度数測定場所の変化範囲を含む領域を囲む曲線の少なくとも一部を構成する曲線であることを特徴とする。【選択図】  図１
2005106868.tif 000002
【特許請求の範囲】
【請求項１】
累進多焦点レンズのレンズ表面に施される累進多焦点レンズのレイアウトマークであって、少なくとも、遠用部の度数の測定場所を示す遠用部測定領域マークと、近用部の度数の測定場所を示す近用部測定領域マークとを有し、
前記近用部測定領域マークは、近用度数測定領域を示すための近用度数測定領域曲線を有し、
前記近用度数測定領域曲線は、インセット量の変化に応じて水平方向に変化する近用度数測定場所の変化範囲を含む領域及び累進帯長の変化に応じて垂直方向に変化する近用度数測定場所の変化範囲を含む領域を囲む曲線の少なくとも一部を構成する曲線であることを特徴とする累進多焦点レンズのレイアウトマーク。
【請求項２】
前記近用部測定領域マークは、前記近用度数測定領域曲線のほかに、近用度数測定場所の中心の垂直方向の位置を示す垂直位置マークと、近用度数測定場所の中心の水平方向の位置を示す水平位置マークとを備えていることを特徴とする請求項１に記載の累進多焦点レンズのレイアウトマーク。
【請求項３】
前記垂直位置マーク及び水平位置マークは、近用度数測定の際に測定の邪魔にならない位置に設けられていることを特徴とする請求項２に記載の累進多焦点レンズのレイアウトマーク。
【請求項４】
前記垂直位置マークは、垂直位置と方向とを示す直線又は垂直位置を示す２以上の点を設けたものであり、水平位置マークは、水平位置と方向とを示す直線又は水平位置を示す２以上の点を設けたものであることを特徴とする請求項２又は３に記載の累進多焦点レンズのレイアウトマーク。
【請求項５】
前記垂直位置マーク及び水平位置マークは、近用度数測定領域の外に設けられていることを特徴とする請求項２〜４のいずれかに記載の累進多焦点レンズのレイアウトマーク。
【請求項６】
請求項１〜５のいずれかの累進多焦点レンズのレイアウトマークが施されたことを特徴とする累進多焦点レンズ。
【発明の詳細な説明】
【技術分野】
【０００１】
本発明は眼鏡用として用いられる累進多焦点レンズのレイアウトマーク及びそのレイアウトマークが施された累進多焦点レンズに関する。 
【背景技術】
【０００２】
一般的に眼鏡用累進多焦点レンズは、レンズ製造側で製造工程の後に、レイアウトマーク工程が設けられ、レンズに光学的レイアウトを示すマーキングが行なわれる。これは、通常は消去可能なペイントでレンズの凸面にレンズメータによる遠用度数測定位置や近用度数測定位置を明示したり、フレームへの枠入れ加工のための種々の基準指標を明示するものとして実施される。 
【０００３】
従って、表示方法はJISで定められた遠用度数測定位置や近用度数測定位置の所定の項目以外はレンズ製造側や累進多焦点レンズのタイプによっても異なり、種々の標記方法が実施されている。特に近年、累進多焦点レンズは、眼生理学的機能を加味した種々の設計思想のもとに多様な種類のレンズが出現してきており、その光学設計の多様性に対しても対応できるようなレイアウトマークの提案もなされてきている（特許文献１、特許文献２、特許文献３）。
【０００４】
図３は従来の累進多焦点レンズのレイアウトマークの例を示す図である。図３に示されるレイアウトマークは、遠用部６に設けられた略Ω字状の遠用部測定領域マーク７と、近用部８に設けられた略逆Ω字状の近用部測定領域マーク９とを有する。遠用部測定領域マーク７は、破線からなる遠用アイポイントの高さ位置を示す遠用アイポイント高さ位置マーク７１ａ，７１ｂと、破線からなる円形の一部で描かれている円弧形状の遠用部円弧状マーク７２とから構成されている。遠用部円弧状マーク７２によって囲まれる領域が遠用度数測定場所又は位置を示す。また、遠用アイポイント高さ位置マーク７１ａ，７１ｂは、遠用アイポイント高さ位置を示す。 
【０００５】
近用部測定領域マーク９は、破線で記されている近用アイポイントの高さ位置を示す近用アイポイント高さ位置マーク９１ａ，９１ｂと、中央部にスリット９０ａ，９０ｂを入れた円弧マークで描かれている近用部円弧状マーク９２ａ，９２ｂとから構成されている。近用アイポイント高さ位置マーク９１ａと９１ｂとをつなぐ直線の中点Ｉｋが近用アイポイント位置である。また、スリット９０ａと９０ｂとを結んだ直線の中点が近用測定領域の中心である（特許文献４）。
【０００６】
上記レイアウトマークは、近用部円弧状マーク９２ａ，９２ｂによって囲まれる近用度数測定場所は、レンズメータのアパーチャーの大きさに比較してかなり大きく設定できるので、インセット量が大幅に異なるレンズに対しても共通に用いることができる。その場合、マークによる場所の特定の不正確さを、数値で得られる正確なインセット量によって修正できるので、正確な位置決めも可能である。さらに、マークとして、円形全部を記すのではなく、その一部を用いたり、また、直線を示すのに、２以上のポイントで示す等、必要最小限のペインティングで表示できるものを用いたので、度数測定等の際にマークが測定の妨げとなることを有効に防止可能となった。 
【０００７】
【特許文献１】特開２００３−１３１１７５号公報
【特許文献２】特開２００３−１３１１７６号公報
【特許文献３】特開２００１−０５１２４１号公報
【特許文献４】特開２００２−３１１３９６号公報
【発明の開示】
【発明が解決しようとする課題】
【０００８】
しかしながら近年、上記の遠用度数に応じた近用部のインセット量の設定に加えて、眼鏡装用者の眼球の動きを考慮したインセット量の設定や、生活スタイル（眼鏡仕様環境）に応じた累進帯長の設定についても一つの商品で可能となった。前者のインセットについては上記従来のレイアウトマークによって対応可能であるが、後者の累進帯長の設定については従来の対応が出来ないために、累進帯長別に異なるレイアウトマークを準備する必要が出てきた。本発明はかかる課題を解決するものであって、異なる累進帯長を有する累進多焦点レンズに共通に用いることができるようにした累進多焦点レンズのレイアウトマーク及び累進多焦点レンズを提供することを目的とする。 
【課題を解決するための手段】
【０００９】
上述の課題を解決するための手段として、第１の手段は、
累進多焦点レンズのレンズ表面に施される累進多焦点レンズのレイアウトマークであって、少なくとも、遠用部の度数の測定場所を示す遠用部測定領域マークと、近用部の度数の測定場所を示す近用部測定領域マークとを有し、
前記近用部測定領域マークは、近用度数測定領域を示すための近用度数測定領域曲線を有し、
前記近用度数測定領域曲線は、インセット量の変化に応じて水平方向に変化する近用度数測定場所の変化範囲を含む領域及び累進帯長の変化に応じて垂直方向に変化する近用度数測定場所の変化範囲を含む領域を囲む曲線の少なくとも一部を構成する曲線であることを特徴とする累進多焦点レンズのレイアウトマークである。
第２の手段は、
前記近用部測定領域マークは、前記近用度数測定領域曲線のほかに、近用度数測定場所の中心の垂直方向の位置を示す垂直位置マークと、近用度数測定場所の中心の水平方向の位置を示す水平位置マークとを備えていることを特徴とする第１の手段にかかる累進多焦点レンズのレイアウトマークである。
第３の手段は、
前記垂直位置マーク及び水平位置マークは、近用度数測定の際に測定の邪魔にならない位置に設けられていることを特徴とする第２の手段にかかる累進多焦点レンズのレイアウトマークである。
第４の手段は、
前記垂直位置マークは、垂直位置と方向とを示す直線又は垂直位置を示す２以上の点を設けたものであり、水平位置マークは、水平位置と方向とを示す直線又は水平位置を示す２以上の点を設けたものであることを特徴とする第２又は第３の手段にかかる累進多焦点レンズのレイアウトマークである。
第５の手段は、
前記垂直位置マーク及び水平位置マークは、近用度数測定領域の外に設けられていることを特徴とする第２〜第４のいずれかの手段にかかる累進多焦点レンズのレイアウトマークである。
第６の手段は、
第１〜第６のいずれかの手段にかかる累進多焦点レンズのレイアウトマークが施されたことを特徴とする累進多焦点レンズ。
【発明の効果】
【００１０】
第１の手段によれば、前記近用度数測定領域曲線を、インセット量の変化に応じて水平方向に変化する近用度数測定場所の変化範囲を含む領域及び累進帯長の変化に応じて垂直方向に変化する近用度数測定場所の変化範囲を含む領域を囲む曲線の少なくとも一部を構成する曲線で構成したことにより、異なる累進帯長を有する累進多焦点レンズに共通に用いることができる。
【００１１】
第２の手段によれば、近用度数測定場所の中心の垂直方向の位置を示す垂直位置マークと、近用度数測定場所の中心の水平方向の位置を示す水平位置マークとを設けたことにより、近用度数測定場所正確に知ることができる。また、第３の手段によれば、垂直位置マーク及び水平位置マークを近用度数測定の際に測定の邪魔にならない位置に設けたことにより、近用度数測定をスムーズに行うことができる。
【００１２】
第４の手段によれば、垂直位置マークを垂直位置と方向とを示す直線又は垂直位置を示す２以上の点で構成し、水平位置マークを水平位置と方向とを示す直線又は水平位置を示す２以上の点で構成したことにより、簡単なマークによって水平位置及び垂直位置を表示できる。また、第５の手段によれば、垂直位置マーク及び水平位置マークを近用度数測定領域の外に設けたことにより、測定の際にこのマークが邪魔になることはない。さ
【発明を実施するための最良の形態】
【００１３】
〔実施例〕
図１及び図２は本発明の実施例にかかる累進多焦点レンズのレイアウトマークの説明図である。以下、図１及び図２を参照にしながら実施の形態にかかる累進多焦点レンズのレイアウトマーク及び累進多焦点レンズを説明する。図１に示されるレイアウトマークは、右眼用（Ｒ）の累進多焦点レンズ１の凸面表面に光学的レイアウトを示すためのレイアウトマークをペイントマークしたものである。また、図２に示されるレイアウトマークは、左眼用（Ｌ）の累進多焦点レンズ１の凸面表面に光学的レイアウトを示すためのレイアウトマークをペイントマークしたものである。右眼用（Ｒ）と左眼用（Ｌ）との違いは、後述する近用部測定領域マーク９垂直基準線に対して対称的に設けられていることだけである。
【００１４】
この累進多焦点レンズ１は、遠用の球面度数が０．００（Ｄ）、近用度数が＋３．００（Ｄ）で加入度数が、３．００（Ｄ）、累進帯長が１４ｍｍ、外径７５ｍｍである。尚、レンズ屈折率は１．６０である。図１において、符号２はレンズの幾何学的中心を表示する幾何中心ドットである。また、その幾何中心ドット２の左右には、幾何学的水平位置を示す水平基準線３が破線で設けられている。そして、同様に上下には一箇所づつ遠用部と近用部に幾何学的垂直基準位置を示す２ｍｍ程度の垂直基準線マーク４ａ，４ｂが短い実線で、それぞれ表記してある。 
【００１５】
さらに、左方の水平基準線３の上方には、「Ｒ」の指標４があり、これは右眼レンズであることを標記している。符号６は遠用部を示す。この遠用部６には、前記一方の垂直基準線マーク４ａと幾何中心ドット２との間に、Ω字形状に近似した遠用部測定領域マーク７が表示してある。この遠用部測定領域マーク７は、２本の短い実線からなる遠用アイポイントの高さ位置を示す遠用アイポイント基準線７１ａ，７１ｂと、破線からなる円形の一部で描かれている円弧形状の遠用部測定領域曲線７２とから構成されている。なお、これら遠用アイポイント基準線７１ａと７１ｂとの中点が遠用アイポイント７１である。 
【００１６】
遠用部測定領域曲線７２によって囲まれる領域が遠用度数測定場所又は位置を示す。また、遠用アイポイント基準線７１ａ，７１ｂは、遠用アイポイント高さ位置を示す。本実施の形態では、遠用アイポイント高さ位置マーク７１ａ，７１ｂは、幾何中心ドット２から４ｍｍ上方に位置するように配置されている。そして、遠用部測定領域曲線７２は、レンズメータの開口径に合わせて直径８ｍｍの円形の一部で構成されている。
【００１７】
遠用部測定領域マーク７は、遠用度数測定位置を示すとともに遠用アイポイント位置７１の高さ位置がわかるように表記されている。そして、遠用アイポイント位置７１は、図に示されるように、遠用部測定領域マーク７の上方に配設してある垂直基準線マーク４ａと組み合わせて、探しだすことができるようになっている。 
【００１８】
ここで、遠用アイポイント位置７１は、レンズの枠入れの際、装用者の瞳孔と一致させて一つの光学系を作り出す眼鏡の最も重要な光学指標といわれている。このため、従来は、クロスライン等で直接的表記方法によってマーキングされるのが一般的であった。しかし、従来の技術の欄において説明したように、近年種々の設計の累進多焦点レンズが提案されており、その中には、遠用アイポイント位置が遠用度数測定位置と近い設計のレンズが登場している。その場合、クロスラインのような直接的な表記方法では、遠用度数測定において、眼鏡のＪＩＳに規定される直径６ｍｍの基準開口径を備えたレンズメータのアパーチャーの測定領域内にこのマークなどが入り込む場合があり、測定の障害となる場合が想定された。 
【００１９】
本実施例では、遠用部測定領域マーク７と、その遠用部測定領域マーク７の上方に設けたもう一つの垂直基準線マーク４ａとを使用して間接的に遠用アイポイント７１を示すようにしたものである。したがって、アパーチャーの測定領域内にマーク等の障害物が入るおそれが完全になくなっているものである。
【００２０】
符号８は近用部である。近用部８には、近用部測定領域マーク９が記されている。この近用部測定領域マーク９は、２つの円弧曲線をつなぎあわせた２つの曲線９２ａ，９２ｂからなる近用度数測定領域曲線９２を有する。この近用度数測定領域曲線９２は、インセット量の変化に応じて水平方向に変化する近用度数測定場所の変化範囲を含む領域と、累進帯長の変化に応じて垂直方向に変化する近用度数測定場所の変化範囲を含む領域とを囲む曲線の少なくとも一部を構成する曲線である。
【００２１】
すなわち、曲線９２ａ、９２ｂは、２つの円弧状曲線を上下につなぎあわせたものである。この場合、上側の円弧曲線は、累進帯長が短いときにレンズメータが配置される位置におけるレンズメータの外形に沿った曲線である。また、下側の円弧曲線は、累進帯長が長いときにレンズメータが配置される位置におけるレンズメータの外形に沿った曲線である。また、曲線９２ａは、インセット量が耳側に最大限よったときのレンズメータの外形に沿ったものであり、曲線９２ｂは、インセット量が鼻側に最大限よったときのレンズメータの外形に沿ったものである。なお、レンズメータの開口径及び測定の容易さを考慮して上記各円弧の直径を９ｍｍと、大きくした。
【００２２】
また、近用部測定領域マーク９は、近用度数測定領域曲線９２のほかに、近用度数測定場所の中心の水平方向の位置を示す水平位置マーク９３ａ，９３ｂと、近用度数測定場所の中心の垂直方向の位置を示す垂直位置マーク９４ａ１，９４ｂ１，９４ａ２，９４ｂ２とを備えている。水平位置マーク９３ａ、９３ｂは、上記近用度数測定領域曲線９２を構成する曲線９２ａと９２ｂとが切り離れている部分にそれぞれ等間隔（この実施例では２ｍｍ間隔）で４個づつ設けられている。垂直位置マーク９３ａは上部の切り離れた部分に、垂直位置マーク９３ｂは下部の切り離れた部分にそれぞれ設けられている。上下の対応するマークを結んだ仮想直線を想定して水平位置を示すいわば目盛とする。垂直位置マーク９３ｂの図中左端のマークは垂直基準線４ｂが兼ねている。それゆえ、これにより水平座標位置が定まる。
【００２３】
垂直位置マーク９４ａ１，９４ｂ１，９４ａ２，９４ｂ２は、近用度数測定領域曲線９２の外側にそれぞれ設けられており、垂直位置マーク９４ａ１と９４ｂ１とを結んだ仮想直線を想定して垂直位置を示すいわば目盛とする。この実施例では、垂直位置マーク９４ａ１と９４ｂ１とを結ぶ仮想直線は、累進帯長が１１ｍｍの場合における近用度数測定測定場所の中心の垂直方向の座標位置を示す。同様に、垂直位置マーク９４ａ２と９４ｂ２とを結ぶ仮想直線が、累進帯長が１４ｍｍの場合における近用度数測定測定場所の中心の垂直方向の座標位置を示す。
【００２４】
上述の通り、２つの円弧曲線をつなぎあわせた２つの曲線９２ａ，９２ｂからなる近用度数測定領域曲線９２で囲まれる近用度数測定場所は、直径６ｍｍの基準開口径を備えたレンズメータのアパーチャーの大きさに比較してかなり大きい。したがって、このマークは、アパーチャーの位置をおおよそ決めるために用いられる。正確な位置は、別途、数値の情報として取得されるインセット量や累進帯長によって定める。つまり、本実施例においては、正確なインセット量や累進帯長の情報はレイアウトマークによって図示するのではなく、別途、数値の情報として取得されるように製造者側が用意する。例えば、レンズ袋に表示するとか、レンズレイアウト用紙に一緒にプリントして前記レンズ袋の中に入れる等の方法を採用してもよい。また、例えば、レンズの製造番号に対応させてオンラインで読み取れるようにしてもよい。このインセット情報や累進帯長の情報は、例えば、
垂直基準線マーク４ａ，４ｂで示される垂直基準線や水平基準線３を基準線にし、この基準線からの距離を表す数値等で示すことができる。
【００２５】
また、上述の通り、近用度数測定領域曲線９２で囲まれる近用度数測定場所は、直径６ｍｍの基準開口径を備えたレンズメータのアパーチャーの大きさに比較してかなり大きい。したがって、インセット量や累進帯長が大幅に異なるレンズに対しても共通に用いることができる。その場合、マークによる場所の特定の不正確さを、数値で得られる正確なインセット量や累進帯長によって修正できるので、正確な位置決めも可能である。さらに、マークとして、円形全部を記すのではなく、その一部を用いたり、また、直線を示すのに、２以上のポイントで示す等、必要最小限のペインティングで表示できるものを用いたので、度数測定等の際にマークが測定の妨げとなることを有効に防止可能となった。 
【００２６】
なお、上述の実施例では、近用度数測定領域曲線９２として、２つの円弧状曲線を上下につなぎあわせた曲線９２ａ、９２ｂで構成したが、これは必ずしも円弧状曲線を上下に組み合わせたものでなくてもよく、例えば、楕円の一部を構成する曲線でもよい。また、各マークを構成する直線や曲線は、実線でも点線でも破線でもよい。この場合、直線は２点以上のポイントで特定することもできる。
【産業上の利用可能性】
【００２７】
本発明は、例えば、眼鏡店等で、工場から送られてきた累進多焦点レンズをレンズメータでチェックする際等に、そのチェック場所を簡単に特定するマークとして利用できる。
【図面の簡単な説明】
【００２８】
【図１】本発明の実施の形態にかかる累進多焦点レンズのレイアウトマークの説明図である。
【図２】本発明の実施の形態にかかる累進多焦点レンズのレイアウトマークの説明図である。
【図３】従来のレイアウトマークの説明図である。
【符号の説明】
【００２９】
１ 累進多焦点レンズ
２ 幾何中心
３ 水平基準線
７ 遠用部測定領域マーク
９ 近用部測定領域マーク
９２  近用度数測定領域曲線
９３ａ，９３ｂ  水平位置マーク
９４ａ１，９４ｂ１，９４ａ２，９４ｂ２  垂直位置マーク
【図１】
2005106868.tif 000003
【図２】
2005106868.tif 000004
【図３】
2005106868.tif 000005